(57)【特許請求の範囲】
【請求項１】
底部を囲むように配設された側壁を、底部に重なるように折り畳むことができるとともに、底部に対して垂直に立てられた側壁が内側に倒れないように、隣り合う側壁が互いに係合し合う係合枠部が側壁に形成されている折り畳みコンテナーにおいて、底部には、折り畳まれた状態の折り畳みコンテナーの底部が嵌合可能な係止ブロックが形成されており、且つ、側壁には、組み立てられた状態の折り畳みコンテナーの係止ブロックが挿入可能な下方が開放された凹部が形成されているとともに、係合枠部を介して、側壁同士及び側壁と底部が係合し合うことを特徴とする折り畳みコンテナー。
【請求項２】
相対する一方の側壁には、折り畳んだ際に、上方に突出する係止ブロックが挿入可能な透孔が穿設されていることを特徴とする請求項１に記載の折り畳みコンテナー。
【請求項３】
側壁の係合枠部に形成された係合突起が、底部に形成された嵌合部の透孔に嵌合されるように構成されていることを特徴とする請求項１又は請求項２に記載の折り畳みコンテナー。
【請求項４】
底部に対して側壁が垂直に立てられた際に、側壁の下面と底部の上面が、その一部において、面接触することを特徴とする請求項１〜請求項３のいずれか１項に記載の折り畳みコンテナー。
【請求項５】
カード差しを構成するカード押さえ条片が、薄肉連結部を介して側壁と一体に形成されていることを特徴とする請求項１〜請求項４のいずれか１項に記載の折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，一例として、平面形状がほぼ長方形に形成された底部の相対する長辺部に、ヒンジ部を介して連結された長側壁と、同じく上記底部の相対する短辺部に、ヒンジ部を介して連結された短側壁とからなる折り畳みコンテナーが知られており、折り畳み状態においては、底部の上に短側壁が重なるように折り畳まれ、更にその上に、長側壁が折り畳まれており、そして、折り畳まれた状態の長側壁を、底部に対して垂直に立て、次いで、折り畳まれた状態の短側壁を、底部に対して垂直に立てることにより、箱型の折り畳みコンテナーに組み立てられるように構成されている。
【０００３】
折り畳みコンテナーが折り畳まれた状態では、一番下に底部が位置し、その上に、重なるように折り畳まれた短側壁が位置し、更にその上に、重なるように折り畳まれた長側壁が位置することになる。このように折り畳んだ状態の折り畳みコンテナーを、積み重ねる場合には、下に位置する折り畳んだ状態の折り畳みコンテナーの長側壁の上に、上に位置する折り畳んだ状態の折り畳みコンテナーの底部が載置されることになる。また、折り畳みコンテナーの長側壁の両方の下部角部（底部側に位置する角部）付近には、ほぼＬ字状の嵌合土手部が形成されており、折り畳まれた状態の２つの長側壁の４つの角部には、平面形状がほぼＬ字状の嵌合土手部が位置することになる。そして、折り畳んだ状態の折り畳みコンテナーを積み重ねる際には、下に位置する折り畳んだ状態の折り畳みコンテナーの２つの長側壁の４つの角部に位置する嵌合土手部に、上に位置する折り畳んだ状態の折り畳みコンテナーの底部が嵌合されるように構成されているので、下に位置する折り畳んだ状態の折り畳みコンテナーに対する、上に位置する折り畳んだ状態の折り畳みコンテナーの水平方向の移動が制限されて、多数、積み重ねられた折り畳まれた状態の折り畳みコンテナーが、ふらついて、崩れることがないように、安定して積み重ねられることになる。
【０００４】
【発明が解決しようとする課題】
上述したように、従来の折り畳みコンテナーにおいては、多数の折り畳まれた状態の折り畳みコンテナーを、安定した状態で積み重ねるために、折り畳みコンテナーの長側壁の両方の下部角部付近に、嵌合土手部が形成されているが、この嵌合土手部は、組み立てられた状態においては、長側壁から突出しており、従って、長側壁同士が、互いに当接するように、２つの組み立てられた折り畳みコンテナーを並設した場合には、並設された折り畳みコンテナー間に無駄な間隙ができることになり、従って、組み立てられた折り畳みコンテナーの保管スペースが増大し、保管効率が低下するという問題があった。また、嵌合土手部を形成したために、長側壁の厚みが増し、従って、組み立てられた折り畳みコンテナーの外寸に対して、内容積が小さく、組み立てられた折り畳みコンテナーの収容効率が悪いという問題があった。
【０００５】
また、従来の折り畳みコンテナーにおいては、組み立てられた状態における、長側壁と短側壁の係合が十分なものでないために、組み立てられた状態の折り畳みコンテナーを積み重ねた際のように、長側壁や短側壁に、上から負荷がかかると、長側壁と短側壁との係合が外れてしまうという問題があった。
【０００６】
更に、従来の折り畳みコンテナーにおいては、長側壁や短側壁に、上から負荷がかかると、底部と長側壁及び底部と短側壁とを結合しているヒンジ部に負荷かかかり、ヒンジ部が損傷するという問題があった。
【０００７】
更にまた、従来の折り畳みコンテナーにおいては、底部と長側壁及び底部と短側壁とを結合しているヒンジ部の構造に問題があるために、底部、長側壁及び短側壁をヒンジ結合して折り畳みコンテナーを組み立てる折り畳みコンテナーの組み立て作業性が悪いという問題があった。
【０００８】
また更に、従来、折り畳みコンテナーに配設されるカード差しは、別途、製造されて、長側壁や短側壁に取り付けるものであるために、カード差しの取り付け作業に、時間と労力を要し、ひいては、折り畳みコンテナーの価格が上昇するという問題があった。
【０００９】
本発明の目的は、上述した従来の折り畳みコンテナーが有する課題を解決するとともに、取り扱い性や収容効率の向上した折り畳みコンテナーを提供することにある。
【００１０】
【課題を解決するための手段】
本発明は、上述した目的を達成するために、底部を囲むように配設された側壁を、底部に重なるように折り畳むことができるとともに、底部に対して垂直に立てられた側壁が内側に倒れないように、隣り合う側壁が互いに係合し合う係合枠部が側壁に形成されている折り畳みコンテナーにおいて、第１には、底部には、折り畳まれた状態の折り畳みコンテナーの底部が嵌合可能な係止ブロックが形成されており、且つ、側壁には、組み立てられた状態の折り畳みコンテナーの係止ブロックが挿入可能な下方が開放された凹部が形成されているとともに、係合枠部を介して、側壁同士及び側壁と底部が係合し合うようにしたものであり、第２には、相対する一方の側壁には、折り畳んだ際に、上方に突出する係止ブロックが挿入可能な透孔が穿設されているものであり、第３には、側壁の係合枠部に形成された係合突起が、底部に形成された嵌合部の透孔に嵌合されるように構成されているものであり、第４には、底部に対して側壁が垂直に立てられた際に、側壁の下面と底部の上面が、その一部において、面接触するように構成したものであり、第５には、カード差しを構成するカード押さえ条片が、薄肉連結部を介して側壁と一体に形成されているものである。
【００１１】
【実施例】
以下に、本発明の実施例について説明するが、本発明の趣旨を越えない限り何ら、本実施例に限定されるものでない。
【００１２】
１００は、平面形状が長方形状の底部であり、底部１００の相対する長辺部１０１には、後述するヒンジ部を介して長側壁２００が連結されており、また、底部１００の相対する短辺部１０２には、同じくヒンジ部を介して短側壁３００が連結されている。
【００１３】
図１に示されているように、箱型に組み立てられた状態の折り畳みコンテナーを折り畳むには、先ず最初に、短側壁３００を折り畳みコンテナーの内側に倒して、図２に示されているように、底部１００の上に重ねる。次いで、同じく、長側壁２００を折り畳みコンテナーの内側に倒して、図３に示されているように、底部１００及び短側壁３００の上に重ねる。逆に、図３に示されている折り畳まれた状態から、図１に示されているように組み立てるには、底部１００及び短側壁３００の上に重ねられた状態の長側壁２００を垂直に立て、次いで、短側壁３００を垂直に立てて、折り畳みコンテナーを箱型に組み立てる。
【００１４】
次に、主として、図４〜図７を用いて、底部１００について説明する。
【００１５】
底部１００は、底板１０３を有しており、底板１０３の長辺縁には、底部１００の長辺部１０１を構成する、ほぼ逆Ｕ字状の二重壁部１０４が形成されている。二重壁部１０４は、外壁１０４ａと、内壁１０４ｂと、外壁１０４ａの上端と内壁１０４ｂの上端を連結する水平壁１０４ｃとから構成されており、底板１０３の裏面１０３ａは、外壁１０４ａの下端１０４ａ’より下方に位置しており、底板１０３の外壁１０４ａの下端１０４ａ’より下方に位置している部分が、後述する底部嵌合部１００ａを構成する。二重壁部１０４を構成する外壁１０４ａを上方に延長して、横長の端部壁１０５が形成されており、端部壁１０５は、長辺部１０１の両端部を除いて、長辺部１０１に沿って形成されている。
【００１６】
また、二重壁部１０４を構成する内壁１０４ｂの上端からは、ほぼ垂直に上方に延在する板状片１０６ａが延設されており、板状片１０６ａには、板状片１０６ａに対して端部壁１０５側に配設されたほぼ半円筒状フック１０６ｂが連接され、板状片１０６ａとフック１０６ｂとにより、ほぼ逆Ｊ字状のヒンジ雌部１０６が構成されている。ヒンジ雌部１０６は、端部壁１０５の高さとほぼ同じ高さを有しており、長辺部１０１に沿って、適当数、形成されている（本実施例においては、ほぼ等間隔に、４個のヒンジ雌部１０６が形成されている。）。なお、二重壁部１０４の内部には、外壁１０４ａ、内壁１０４ｂ及び水平壁１０４ｃを連結する内部補強リブ１０７を、適当な間隔で形成することができる。
【００１７】
長辺部１０１の両端部付近に位置するヒンジ雌部１０６と、該ヒンジ雌部１０６より中央寄りに位置するヒンジ雌部１０６との間に位置する、端部壁１０５と二重壁部１０４の水平壁１０４ｃとで形成される隅部には、外面１０８ａが端部壁１０５の外面１０５ａとほぼ面一な長辺部側係止ブロック１０８が形成されている。長辺部側係止ブロック１０８は、端部壁１０５を超えて上方に延在する突出部１０８ｂを有するとともに、端部壁１０５の上端とほぼ同じ高さの載置面１０８ｃを有する、内側に向いた切り欠き部１０８ｄが形成されている。
【００１８】
長辺部１０１の両端部には、二重壁部１０４の外壁１０４ａと内壁１０４ｂを上方に延長することにより形成された、長辺部側係止ブロック１０８とほぼ同じ高さの端部係止ブロック１０９が形成されており、端部係止ブロック１０９には、長辺部側係止ブロック１０８の載置面１０８ｃとほぼ同じ高さを有する載置面１０９ａと、載置面１０９ａより上方に突出した突出部１０９ｂが形成されている。突出部１０９ｂは、長辺部１０１に沿って延在する突出部１０９ｂ’と、該突出部１０９ｂ’に直角で短辺部１０２方向に延びる突出部１０９ｂ”とからなり、平面形状がほぼＬ字状に形成されている。端部係止ブロック１０９の外面１０９ｃも、端部壁１０５の外面１０５ａとほぼ面一に形成されている。なお、１１０は、端部壁１０５と二重壁部１０４の水平壁１０４ｃとで形成される隅部に、適宜、形成された補強ブロックであり、補強ブロック１１０の上端は、端部壁１０５の上端に一致しているが、必要に応じて、補強ブロック１１０の上端は、端部壁１０５の上端より下方に位置するように構成することもできる。
【００１９】
底部１００の短辺部１０２は、長辺部１０１より、低く形成されており、短辺部１０２は、底板１０３の短辺縁に沿って、ほぼ垂直に上方に延在する垂直壁１１１を有している。垂直壁１１１に近接した底板１０３には、垂直壁１１１に沿って、所定の間隔で、上述したと同様のヒンジ雌部１０６が形成されている（本実施例においては、ほぼ等間隔に、４個のヒンジ雌部１０６が形成されている。）。
【００２０】
短辺部１０２を構成する垂直壁１１１の両端部を、上方に延長することにより、透孔１１２ａが穿設されたほぼ方形状の嵌合部１１２が形成されている。嵌合部１１２の高さは、長辺部１０１の両端部に形成された端部係止ブロック１０９より低く、透孔１１２ａには、後述する短側壁３００に形成された嵌合突起が嵌合するように構成されている。短辺部１０２の垂直壁１１１と底板１０３とにより形成される隅部には、短辺側係止ブロック１１３が形成されている。そして、短辺側係止ブロック１１３の高さは、上述した長辺部側係止ブロック１０８及び端部係止ブロック１０９とほぼ同じ高さに形成されており、また、短辺側係止ブロック１１３には、長辺部側係止ブロック１０８の載置面１０８ｃや端部係止ブロック１０９の載置面１０９ａとほぼ同じ高さの載置面１１３ａを形成する、内側に向いた切り欠き部１１３ｂが形成されている。また、短辺側係止ブロック１１３の外面１１３ｃは、短辺部１０２を構成する垂直壁１１１の外面１１１ａとほぼ面一に形成されており、少なくとも、垂直壁１１１の外面１１１ａを超えて、外側に突出することがないように構成されている。
【００２１】
なお、１１４は、短辺部１０２の中程に形成された、所定の間隔を置いて配置された一対の水平枠１１４ａ、１１４ａと背枠１１４ｂとにより、外側が開口された凹部１１４ｃが形成された、ロボット等の自動機の爪や、作業者の指等が挿入可能な、引っ掛け部である。引っ掛け部１１４は、垂直壁１１１の中程を、引っ掛け部１１４の幅分だけ分断することにより、形成されている。１１５は、底部１００の長辺部１０１を構成する二重壁部１０４の外壁１０４ａに形成された凹部であり、この凹部１１５に、折り畳みコンテナーに収容された物品の行き先や、物品の種類、個数等の折り畳みコンテナーや収容された物品に関する種々の情報が記載された或いは記憶されたラベルやバーコードや磁気テープ等が貼着されるように構成されている。なお、１１６は、必要に応じて、底板１０３の裏面１０３ａに形成された縦横に走る、高さの低い補強リブである。
【００２２】
後述するように、短側壁３００や長側壁２００にカード差しを配設した上に、更に、上述したように、底部１００の二重壁部１０４の外壁１０４ａに、印刷及びラベル貼付用の凹部１１５が形成されているので、折り畳みコンテナー内に収容されている物品の種類や行き先等の種々の情報の識別が、より容易に、且つ、確実になる。
【００２３】
更に、折り畳みコンテナーの大きさが異なると、換言すれば、長側壁２００や短側壁３００の大きさが異なると、長側壁２００や短側壁３００に設けられたラベル貼付部やカード差しの位置が大きく異なる場合があるが、折り畳みコンテナーの大きさが異なっても、底部１００の位置、特に、その高さは、大きく異なることはない。従って、ベルトコンベヤー等の搬送装置により搬送されている途中で、搬送装置付近に配設された読取機の読み取りセンサーにより、底部１００の二重壁部１０４の外壁１０４ａに形成された印刷及びラベル貼付用の凹部１１５に、印刷或いは貼付されたラベルを読み取るようにすれば、折り畳みコンテナーの大きさが異なっても、印刷及びラベル貼付用の凹部１１５の位置は、大きく異なることはないので、読取機による折り畳みコンテナー内に収容されている物品の種類や行き先等の種々の情報の読み取りが、正確に、且つ、確実に行われることになる。従って、ラベル貼付部の位置が異なるために、読み取りが失敗するというようなことが防止できるとともに、折り畳みコンテナーの大きさにより、読取機の読み取りセンサーの位置を変更する必要もない。
【００２４】
次に、図２、図５、図６及び図８〜図１０を用いて、長側壁２について説明する。
【００２５】
長側壁２００は、横長の方形状の板状部２０１と、板状部２０１の下端から外方向に向かって延在する下部水平枠２０２を有しており、下部水平枠２０２の下面には、底部１１１の長辺部１０１側に形成されたヒンジ雌部１０６に対応して、ヒンジ雄部２０３が形成されている。ヒンジ雄部２０３は、下部水平枠２０２の下面に垂下され、板状部２０１に対して直角な一対の垂直片２０３ａと、一対の垂直片２０３ａ間に配設された水平ピン２０３ｂとから構成されており、垂直片２０３ａの下部は、半円形部２０３ａ’として形成されている。
【００２６】
２０４は、下部水平枠２０２の下面に形成された、上記の垂直片２０３ａと同様の一対の垂直片２０４ａと垂直片２０４ａを連結する連結壁２０４ｂとからなる下部ブロックであり、連結壁２０４ｂの下端部は、垂直片２０４ａの半円形部２０４ａ’とほぼ同じように彎曲された半円筒部に形成されている。なお、下部ブロック２０４の下端は、ヒンジ雄部２０３の垂直片２０３ｃの下端と一致しており、下部ブロック２０４の垂直片２０４ａの半円形部２０４ａ’や連結壁２０４ｂの半円筒部は、ヒンジ雄部２０３の垂直片２０３ａの半円形部２０３ａ’と、ほぼ同じ半径を有している。
【００２７】
ヒンジ雄部２０３の垂直片２０３ａの端部壁１０５側の端面２０３ａ”及び下部ブロック２０４の垂直片２０４ａの端部壁１０５側の端面２０４ａ”は、端部壁１０５のほぼ肉厚分だけ、下部水平枠２０２より引っ込んでいる。そして、底部１００と長側壁２００を、上述したヒンジ雌部１０６とヒンジ雄部２０３とによりヒンジ結合するとともに、長側壁２００を、底部１００に対して垂直に立てた際には、ヒンジ雄部２０３の垂直片２０３ａ及び下部ブロック２０４の垂直片２０４ａの下部水平枠２０２より引っ込んだ部分に、底部１００の端部壁１０５が入り込み、端部壁１０５の上端に、長側壁２００の下部水平枠２０２の下面が当接するように構成されている（特に、後述する図１４を参照されたい。）。長側壁２００に上方から負荷がかかっても、端部壁１０５の上端に、長側壁２００の下部水平枠２０２の下面が当接するように構成されているので、長側壁２００にかかった負荷が、端部壁１０５の上端と長側壁２００の下部水平枠２０２の下面との当接により、この部分で負担されて、このような負荷が、ヒンジ雌部１０６とヒンジ雄部２０３に及ぶようなことが防止でき、従って、ヒンジ雌部１０６とヒンジ雄部２０３の損傷やヒンジ結合が外れるようなことが防止できる。
【００２８】
板状部２０１の外面２０１ａには、適宜、垂直リブ２０５や水平リブ２０６が、複数、形成されている。折り畳みコンテナーが組み立てられ、長側壁２００が、底部１００に対して、垂直に立てられた際には、板状部２０１の内面２０１ｂは、底部１００の長辺部１０１を構成する二重壁部１０４の内壁１０４ｂや、ヒンジ雌部１０６の板状片１０６ａの内面等と、ほぼ面一になるように構成されており、折り畳みコンテナーが組み立てられた状態において、折り畳みコンテナーの長側壁２００側の内面に、突出部が形成されないように構成されている。そして、折り畳みコンテナーが組み立てられた状態においては、垂直リブ２０５や水平リブ２０６が、底部１００の長辺部１０２を構成する二重壁部１０４の外壁１０４ａを超えて、外側に突出しないように構成されている。
【００２９】
長側壁２００の両端部には、板状部２０１に直交する方向で、且つ、内面２０１ｂ側に延在する係合枠部２０７が形成されており、係合枠部２０７の上部には、上部嵌合透孔２０７ａが穿設されており、上部嵌合透孔２０７ａの下方に穿設された２つの透孔２０７ｂ、２０７ｃ間には、水平で、横長の係合突起２０７ｄが、係合枠部２０７の内面２０７’に突設されている。図１０に示されているように、係合突起２０７ｄの断面形状は、先端部が先細り状の膨出部２０７ｄ’と、膨出部２０７ｄ’から係合枠部２０７の外面２０７”に向かって延在する水平部２０７ｄ”とにより、横向きのほぼ茸状に形成されている。更に、係合突起２０７ｄの下方には、係合枠部２０７を一部切り欠くことにより形成された嵌合凹部２０７ｅが形成されており、嵌合凹部２０７ｅが位置する長側壁２００には、嵌合透孔２０７ｆが形成されている。更にまた、嵌合凹部２０７ｅの下方には、下部嵌合透孔２０７ｇが穿設されている。係合枠部２０７に穿設された上部嵌合透孔２０７ａ、透孔２０７ｂ、２０７ｃ及び下部嵌合透孔２０７ｇは、板状部２０１にほぼ平行に、換言すれば、係合枠部２０７の内面２０７’及び外面２０７”に対して垂直に形成されており、また、係合枠部２０７の下面は、下部水平枠２０２より上方に位置している。上記の嵌合透孔２０７ｆには、折り畳みコンテナーの折り畳み過程において、折り畳まれた短側壁３００の上に重なるように、長側壁２００を折り畳む際に、図３に示されているように、底部１００に形成された短辺側係止ブロック１１３が挿入されるように構成されている。
【００３０】
長側壁２の下部両端部には、下部水平枠２０２より一段高い水平枠２０８とヒンジ雄部２０３の垂直片２０３ａとにより形成される切り欠き部２０９が形成されており、この切り欠き部２０９には、底部１００に長側壁２００を取り付け、底部１００に対して、長側壁２００を垂直に立てた際に、底部１００に形成された端部係止ブロック１０９が、長側壁２００に干渉することなく入り込むことができるように構成されている。そして、長側壁２００に上方から負荷がかかった際には、底部１００に形成された端部係止ブロック１０９の上面１０９ｃに、長側壁２の下部両端部に形成された水平枠２０８の下面２０８ａが、面接触状態で接触し、長側壁２００にかかった負荷を、負担することができるように構成されている。このように構成することにより、長側壁２００にかかった負荷により、後述するようにヒンジ結合されたヒンジ雌部１０６とヒンジ雄部２０３が損傷しないように構成されている。
【００３１】
そして、折り畳みコンテナーが組み立てられた状態において、長側壁２００の上端より、短側壁３００の上端が、若干、低くなるように構成されている。このように構成することにより、物品が収容された折り畳みコンテナーを、多数、積み重ねた場合等のように、折り畳みコンテナーに上方から負荷がかかった場合には、上述したように、底部１００と面接触し、負荷に強い長側壁２００に、大部分の負荷がかかるので、このような面接を形成しておらず、負荷に対して弱い短側壁３００に負荷がかからないので、底部１００と短側壁３００とをヒンジ結合しているヒンジ雌部１０６とヒンジ雄部２０３とからなるヒンジ結合部にかかる負荷が低減し、従って、底部１００と短側壁３００とをヒンジ結合しているヒンジ雌部１０６とヒンジ雄部２０３が損傷するようなことが防止できる。
【００３２】
また、水平枠２０８の下面には、板状部２０１の延長上に形成されている衝合壁２０８ｂが垂設されており、衝合壁２０８ｂの下端は、下部水平枠２０２の下面とほぼ同じになるように構成されている。そして、この衝合壁２０８ｂは、底部１００に対して、長側壁２００を垂直に立てた際に、その下端２０８ｂ’が、底部１００の端部係止ブロック１０９の載置面１０９ａに近接或いは当接するとともに、衝合壁２０８ｂが、端部係止ブロック１０９の長辺部１０１に沿って延在する突出部１０９ｂ’の内面に当接するように構成されている。
【００３３】
折り畳まれた状態の長側壁２００を垂直方向に回動させると、衝合壁２０８ｂが、底部１００に形成された端部係止ブロック１０９の長辺部１０１に沿って延在する突出部１０９ｂ’の内面に当接するので、長側壁２００が垂直状態を超えて、それ以上回動することが阻止され、従って、ヒンジ雌部１０６とヒンジ雄部２０３からなるヒンジ部等が損傷するようなことが防止できる。また、底部１００に対して、長側壁２００を垂直に立てた際に、衝合壁２０８ｂの下端２０８ｂ’が、底部１００の端部係止ブロック１０９の載置面１０９ａに近接或いは当接するように構成されているので、長側壁２００に上方から負荷がかかっても、負荷を、衝合壁２０８ｂと端部係止ブロック１０９とで負担し、負荷がヒンジ部にかからないので、ヒンジ部が損傷するようなことが防止できる。
【００３４】
２１０は、下部水平枠２０２を上方に膨出させるようにして形成された、下方が開放された凹部であり、底部１００に長側壁２００を取り付け、底部１００に対して、長側壁２００を垂直に立てた際に、底部１００に形成された長辺部側係止ブロック１０８が、入り込むことができるように構成されている。この実施例においては、凹部２１０は、下部ブロック２０４の一対の垂直片２０４ａと天部２１０ａとで形成されており、凹部２１０の上部には、板状部２０１の延長上に形成されている衝合壁２１０ｂが形成されており、衝合壁２１０ｂの下端は、下部水平枠２０２の下面とほぼ同じになるように構成されている。そして、この衝合壁２１０ｂは、底部１００に対して、長側壁２００を垂直に立てた際に、その下端が、長辺部側係止ブロック１０８の載置面１０８ｃに近接或いは当接するとともに、衝合壁２１０ｂが、長辺部側係止ブロック１０８の突出部１０８ｂに当接するように構成されている。
【００３５】
折り畳まれた状態の長側壁２００を垂直方向に回動させると、衝合壁２１０ｂが、底部１００に形成された長辺部側係止ブロック１０８の突出部１０８ｂに当接するので、長側壁２００が垂直状態を超えて、それ以上回動することが阻止され、従って、ヒンジ雌部１０６とヒンジ雄部２０３からなるヒンジ部が損傷するようなことが防止できる。また、底部１００に対して、長側壁２００を垂直に立てた際に、衝合壁２１０ｂの下端が、底部１００の長辺部側係止ブロック１０８の載置面１０８ｃに近接或いは当接するように構成されているので、長側壁２００に上方から負荷がかかっても、負荷を、衝合壁２１０ｂと長辺部側係止ブロック１０８とで負担し、負荷がヒンジ部にかからないので、ヒンジ部が損傷するようなことが防止できる。
【００３６】
上述した底部１００の端部壁１０５と、底部１００に形成されたヒンジ雌部１０６のフック１０６ｂとの間には、長側壁２００に形成されたヒンジ雄部２０３の水平ピン２０３ｂの直径より、狭い間隔の間隙が形成されるように構成されている。
【００３７】
次に、図１及び図１０〜図１３を用いて、短側壁３００について説明する。
【００３８】
短側壁３００も、上述した長側壁２００と同様に、横長の方形状の板状部３０１と、板状部３０１の下端から外方向に向かって延在する下部水平枠３０２を有しており、下部水平枠３０２の下面には、底部１００の短辺部１０２側に形成されたヒンジ雌部１０６に対応して、ヒンジ雄部３０３が形成されている。ヒンジ雄部３０３は、上述した長側壁２００に形成されたヒンジ雄部２０３と同様に、下部水平枠３０２の下面に垂下され、板状部３０１に対して直角な一対の垂直片３０３ａと、一対の垂直片３０３ａ間に配設された水平ピン３０３ｂとから構成されており、垂直片３０３ａの下部は、半円形部３０３ａ’として形成されている。
【００３９】
また、長側壁２に形成されたは下部ブロック２０４と同様の、一対の垂直片３０４ａと垂直片３０４ａを連結する連結壁３０４ｂとからなる下部ブロック３０４が、下部水平枠３０２の下面に形成されている。なお、この実施例には、図１１に示されているように、ヒンジ雄部３０３と、ヒンジ雄部３０３に隣接して配設されている下部ブロック３０４との間では、下部ブロック３０４の垂直片３０４ａと、ヒンジ雄部３０３の垂直片３０３ａとが共用されている例が示されている。
【００４０】
板状部３０１の上端には、上部水平枠３０５が形成されており、また、下部水平枠３０２と上部水平枠３０５の両端を連結する、相対する垂直枠３０６が形成されている。折り畳みコンテナーが組み立てられて、短側壁３００が底部１００に対して垂直に立てられた際には、板状部３０１の内面３０１ａと、底部１００に形成されたヒンジ雌部１０６の板状片１０６ａの内面とは、ほぼ面一になるように構成されており、折り畳みコンテナーが組み立てられた状態において、折り畳みコンテナーの短側壁３００側の内面に、突出部が形成されないように構成されている。そして、折り畳みコンテナーが組み立てられた状態においては、下部水平枠３０２、上部水平枠３０５及び垂直枠３０６等は、底部１００の短辺部１０２を超えて、外側に突出しないように構成されている。
【００４１】
短側壁３００には、下部水平枠３０２が上方に折り曲げられたようにして形成された、下部が開放された、縦長の凹部３０７が形成されており、この凹部３０７には、折り畳みコンテナーが組み立てられて、短側壁３００が底部１００に対して垂直に立てられた際に、底部１００に形成された短辺側係止ブロック１１３が、短側壁３００に干渉することなく入り込むことができるように構成されている。
【００４２】
短側壁３００の垂直枠３０６の外側には、係合枠部３０８が形成されており、板状部３０１の延長として形成されている係合枠部３０８の板状部３０８’の上部には外側に向かって、長側壁２００の両端部に形成され係合枠部２０７に穿設された上部嵌合透孔２０７ａに嵌合可能な、先端が先細り状に形成された、ほぼ角柱状の上部嵌合突起３０８ａが突設されており、また、上部嵌合突起３０８ａの下方には、先端に係止突起３０８ｂ’が向き合うように形成された、一対の係止片３０８ｂが、ほぼ水平方向に延在されており、この一対の係止片３０８ｂ間には、長側壁２００に形成された係合突起２０７ｄの膨出部２０７ｄ’が挿入され、係止片３０８ｂの先端部が、係合突起２０７ｄの上下に穿設された透孔２０７ｂ、２０７ｃに挿入されるとともに、短側壁３００の係合枠部３０８に形成された係止片３０８ｂの係止突起３０８ｂ’が、長側壁２００の係合枠部２０７に形成された係合突起２０７ｄの膨出部２０７ｄ’の背面に係止されるように構成されている。
【００４３】
更に、係止片３０８ｂの下方には、垂直枠３０６に対して垂直に、外方向に延在する中間嵌合凸部３０８ｃが形成されており、中間嵌合凸部３０８ｃは、長側壁２００の係合枠部２０７に形成された嵌合凹部２０７ｅに嵌合されるように構成されている。更にまた、中間嵌合凸部３０８ｃの下方には、平べったい下部係合突起３０８ｄが形成されており、下部係合突起３０８ｄは、長側壁２００の係合枠部２０７に形成された下部嵌合透孔２０７ｇに嵌合されるように構成されている。下部係合突起３０８ｄの下方には、箱状の下部嵌合凸部３０８ｅが形成されており、下部嵌合凸部３０８ｅは、折り畳みコンテナーが組み立てられた際に、長側壁２００側の係合枠部２０７の下端と、底部１００の短辺部１０２の両端部に形成された嵌合部１１２の上端との間に形成される間隙Ｄに挿入されるように形成されている。更に、係合枠部３０８の下端には、下端係合突起３０８ｆが形成されており、下端係合突起３０８ｆは、底部１００の短辺部１０２の両端部に形成された嵌合部１１２の透孔１１２ａに嵌合されるように構成されている。なお、３０９は、短側壁３００の上方に形成された、作業者の指が挿入可能な持ち手開口部である。
【００４４】
上述した底部１の垂直壁１１１と、底部１００に形成されたヒンジ雌部１０６のフック１０６ｂとの間には、短側壁３００に形成されたヒンジ雄部３０３の水平ピン３０３ｂの直径より、狭い間隔の間隙が形成されるように構成されている。
【００４５】
次に、上述した構成を有する底部１００、長側壁２００及び短側壁３００の組み立てについて説明する。
【００４６】
長側壁２００を下降させて、長側壁２００に形成されたヒンジ雄部２０３の水平ピン２０３ｂを、底部１００の端部壁１０５と、底部１００に形成されたヒンジ雌部１０６のフック１０６ｂとの間に形成された間隙に、無理やり挿入すると、底部１００のヒンジ雌部１０６の板状片１０６ａは、内側に傾動し、従って、底部１００の端部壁１０５とヒンジ雌部１０６のフック１０６ｂとの間には、長側壁２００のヒンジ雄部２０３の水平ピン２０３ｂが通過する間隙ができ、水平ピン２０３ｂは、底部１００のヒンジ雌部１０６のフック１０６ｂの下方まで押し下げられる。すると、底部１００のヒンジ雌部１０６の板状片１０６ａは、板状片１０６ａ自体の弾性力により、元に位置に復帰するとともに、長側壁２００のヒンジ雄部２０３の水平ピン２０３ｂが、底部１００のヒンジ雌部１０６のフック１０６ｂの凹部１０６ｂ’に嵌合されて、底部１００に形成されたヒンジ雌部１０６と、長側壁２００に形成されたヒンジ雄部２０３とにより、底部１００と長側壁２００とがヒンジ結合されることになる。同様に、底部１００の短辺部１０２側に形成されたヒンジ雌部１０６と、短側壁３００に形成されたヒンジ雄部３０３とによるヒンジ結合により、底部１００と短側壁３００も、同様に、連結されるように構成されている。
【００４７】
図３に示されている折り畳まれた状態から、図１に示されているように組み立てるには、底部１００及び短側壁３００の上に重ねられた状態の長側壁２００を垂直に立て、次いで、短側壁３００を垂直に立てて、折り畳みコンテナーを箱型に組み立てるが、長側壁２００と短側壁３００とは、長側壁２００に形成された係合枠部２０７と、短側壁３００に形成された係合枠部３０８とを、係合することにより、組み立てられた折り畳みコンテナーの短側壁３００が、簡単に、内側に倒れないように構成されている。
【００４８】
上述したように、垂直に立てられた長側壁２００に対して、短側壁３００を垂直方向に回動させると、先ず最初に、短側壁３００の係合枠部３０８に形成された下端係合突起３０８ｆが、底部１００の短辺部１０２の両端部に形成された嵌合部１１２の透孔１１２ａに嵌合される。次いで、短側壁３００の係合枠部３０８の下部嵌合凸部３０８ｅが、長側壁２００側の係合枠部２０７の下端と、底部１００の短辺部１０２の両端部に形成された嵌合部１１２の上端との間に形成される間隙Ｄに挿入され、また、短側壁３００の係合枠部３０８の下部係合突起３０８ｄが、長側壁２００の係合枠部２０７の下部嵌合透孔２０７ｇに嵌合され、更に、短側壁３００の係合枠部３０８の中間嵌合凸部３０８ｃが、長側壁２００の係合枠部２０７の嵌合凹部２０７ｅに嵌合される。更に、短側壁３００の係合枠部３０８の一対の係止片３０８ｂの係止突起３０８ｂ’が、長側壁２００の係合枠部２０７に形成された係合突起２０７ｄの膨出部２０７ｄ’の背面に係止されるように構成されている。そして、最後に、短側壁３００の係合枠部３０８の上部嵌合突起３０８ａが、長側壁２００の係合枠部２０７の上部嵌合透孔２０７ａに嵌合され、長側壁２００に形成された係合枠部２０７と、短側壁３００に形成された係合枠部３０８とが、互いに、確実に、係合されることになる。
【００４９】
上述したように、垂直に立てられた長側壁２００に対して、短側壁３００を垂直方向に回動させた際には、先ず最初に、短側壁３００の係合枠部３０８に形成された下端係合突起３０８ｆが、底部１００の短辺部１０２の両端部に形成された嵌合部１１２の透孔１１２ａに嵌合される。次いで、短側壁３００側の係合枠部３０８の平べったい下部係合突起３０８ｄが、長側壁２００の係合枠部２０７の下部嵌合透孔２０７ｇに嵌合されることにより、長側壁２００に対する短側壁３００の横方向（長側壁２００の板状部２０１に対して、短側壁３００が垂直方向に移動する方向）の動きが規制され、従って、長側壁２００の板状部２０１に対する短側壁３００の係合枠部３０８の位置が移動するようなことが防止でき、短側壁３００の係合枠部３０８と長側壁２００の係合枠部２０７との係合を、スムースに、且つ、確実に行うことができる。
【００５０】
更に、短側壁３００の係合枠部３０８には、先端が先細り状に形成された、ほぼ角柱状の上部嵌合突起３０８ａが形成されており、この上部嵌合突起３０８ａが、短側壁３００の係合枠部３０８と長側壁２００の係合枠部２０７との係合作業の最終段階で、上部嵌合突起３０８ａの外周面が、長側壁２００側の係合枠部２０７に穿設された上部嵌合透孔２０７ａの内周面に接近するように嵌合されるように構成されているので、長側壁２００に対する短側壁３００の上下方向の移動や、長側壁２００に対する短側壁３００の接離方向への移動が規制されるので、組み立てられた状態の折り畳みコンテナーにおいて、長側壁２００と短側壁３００とが、ガタつくようなことが防止でき、従って、組み立てられた状態の折り畳みコンテナーを、積み重ねた際に、積み重ねられた折り畳みコンテナーがぐらつくようなことが防止でき、安定した状態で、段積みすることができる。
【００５１】
上述したように、短側壁３００の係合枠部３０８の下端係合突起３０８ｆが、底部１００の短辺部１０２の両端部に形成された嵌合部１１２の透孔１１２ａに嵌合されるように構成されているので、底部１００と短側壁３００との結合強度が向上するとともに、底部１００に対する短側壁３００の動きが規制されることになり、従って、底部１００に対して短側壁３００が大きく移動することにより、底部１００と短側壁３００を連結するヒンジ結合を構成する底部１００に形成されたヒンジ雌部１０６や、短側壁３００に形成されたヒンジ雄部３０３が損傷するようなことが防止できる。また、短側壁３００の係合枠部３０８の下端係合突起３０８ｆと、底部１００の短辺部１０２の両端部に形成された嵌合部１１２の透孔１１２ａとが、一種の位置決めとして機能するので、底部１００と短側壁３００の結合を、スムースに、且つ、確実に行うことができる。
【００５２】
また、短側壁３００の係合枠部３０８に形成された下端係合突起３０８ｆが、底部１００の短辺部１０２の両端部に形成された嵌合部１１２の透孔１１２ａに嵌合されるので、底部１００と短側壁３００との結合強度が向上するとともに、短側壁３００の係合枠部３０８に形成された下部係合突起３０８ｄの、長側壁２の係合枠部２０７に穿設された下部嵌合透孔２０７ｇへの嵌合、短側壁３００の係合枠部３０９に形成された中間嵌合凸部３０８ｃの、長側壁２００の係合枠部２０７に形成された嵌合凹部２０７ｅへの嵌合、短側壁３００の係合枠部３０８に形成された一対の係止片３０８ｂの係止突起３０８ｂ’の、長側壁２００の係合枠部２０７に形成された係合突起２０７ｄの膨出部２０７ｄ’への係止、及び、短側壁３００の係合枠部３０８に形成された上部嵌合突起３０８ａの、長側壁２００の係合枠部２０７に穿設された上部嵌合透孔２０７ａへの嵌合という、複数の嵌合手段及び係止手段により、長側壁２００と短側壁３００が強固に結合しているので、長側壁２００と短側壁３００との結合が外れにくく、ひいては、組み立てられた状態の折り畳みコンテナーの強度が向上することになり、更には、組み立てられた状態の折り畳みコンテナーを、多数、積み重ねても、長側壁２００と短側壁３００が動くようなことがなく、安定した状態で、積み重ね、即ち、段積みすることができる。
【００５３】
更には、短側壁３００の係合枠部３０８に形成された下部嵌合凸部３０８ｅが、折り畳みコンテナーが組み立てられた際に、長側壁２００の係合枠部２０７の下端と、底部１００の短辺部１０２の両端部に形成された嵌合部１１２の上端との間に形成される間隙Ｄに、サンドイッチ状に挿入されるように構成されているので、組み立てられた状態の折り畳みコンテナーの短側壁３００に、上方から負荷がかかっても、底部１００の短辺部１０２の両端部に形成された嵌合部１１２の上端に載置される短側壁３００の下部嵌合凸部３０８ｅにより、負荷が負担されるので、底部１００と短側壁３００を連結するヒンジ結合に負荷がかかるようなことがないので、底部１００に形成されたヒンジ雌部１０６や短側壁３００に形成されたヒンジ雄部３０３が損傷するようなことが防止できる。
【００５４】
更にまた、短側壁３００の係合枠部３０８には、先端に係止突起３０８ｂ’が向き合うように形成された、一対の係止片３０８ｂが、ほぼ水平方向に延在されているとともに、この一対の係止片３０８ｂにより、長側壁２００側の係合枠部２０７に形成された係合突起２０７ｄの膨出部２０７ｄ’の背面を係止するように構成したので、長側壁２００或いは短側壁３００が、上下方向に、ガタついても、何方か一方の係止片３０８ｂが、係合突起２０７ｄに係止されているので、係止片３０８ｂと係合突起２０７ｄとの係止状態が外れるようなことがないし、また、長側壁２００或いは短側壁３００が、水平方向に動いたとしても、係止片３０８ｂが、水平方向に延在した横長に形成されているので、係合突起２０７ｄから外れるようなことがなく、従って、長側壁２００の係合枠部２０７と短側壁３００の係合枠部３０８との係合が強固なものとなる。更に、短側壁３００の係合枠部３０８に形成された中間嵌合凸部３０８ｃが、長側壁２００の係合枠部２０７に形成された嵌合凹部２０７ｅに嵌合されるように構成されているので、長側壁２００と短側壁３００との間のガタツキや、長側壁２００と短側壁３００との相対的な移動が規制されるので、より確実に、係止片３０８ｂと係合突起２０７ｄとの係止状態の外れを防止することができる。
【００５５】
上述したようにして、折り畳みコンテナーが組み立てられた状態においては、底部１００に形成された長辺部側係止ブロック１０８は、長側壁２００の下部水平枠２０２に形成された、下方が開放された凹部２１０に入り込み、また、底部１００に形成された短辺側係止ブロック１１３が、短側壁３００に形成された縦長の凹部３０７に入り込むことができるように構成されている。このように、折り畳みコンテナーが組み立てられた状態において、底部１００に形成された長辺部側係止ブロック１０８や短辺側係止ブロック１１３が、長側壁２００及び短側壁３００に当接しないように構成されている。また、折り畳みコンテナーが組み立てられた状態においては、底部１００に形成された端部係止ブロック１０９は、長側壁２００の下部両端部に、下部水平枠２０２より一段高い水平枠２０８とヒンジ雄部２０３の垂直片２０３ａとにより形成される切り欠き部２０９に、長側壁２００に干渉することなく入り込むことができるように構成されている。
【００５６】
上述したように、底部１００に形成された長辺部側係止ブロック１０８の外面１０８ａ、短辺側係止ブロック１１３の外面１１３ｃ及び端部係止ブロック１０９の外面１０９ｃは、いずれも、底部１００の長辺部１０１及び短辺部１０２を超えて外側に突出しないように構成されているとともに、長側壁２００及び短側壁３００が、底部１００の長辺部１０１及び短側部１０２を超えて、外側に突出しないように構成されており、しかも、底部１００、長側壁２００及び短側壁３００の外面が、ほぼ面一になるように構成されているので、組み立てられた２つの折り畳みコンテナーを、長側壁２００や短側壁３００が、当接するように並設しても、隣り合う折り畳みコンテナー間に、実質的に間隙ができるようなことがないので、従って、組み立てられた折り畳みコンテナーの保管効率が向上する。また、従来の折り畳みコンテナーのように、嵌合土手部が形成されていないので、組み立てられた折り畳みコンテナーの外寸に対して、内容積が大きく、従って、組み立てられた折り畳みコンテナーの収容効率が向上する。
【００５７】
図１に示されている組み立てられた状態の折り畳みコンテナーを、図３に示されているように、折り畳む場合には、先ず最初に、短側壁３００を、底部１００方向に回動させることにより、長側壁２００の係合枠部２０７と短側壁３００の係合枠部３０８との係合を外し、短側壁３００を、底部１００の上に重ねる。次いで、長側壁２００を倒して、折り畳まれた短側壁３００の上に重ねるが、この際、底部１００に形成された短辺側係止ブロック１１３は、長側壁２００の係合枠部２０７に形成された嵌合凹部２０７ｅに入り込み、その後、長側壁２００に穿設された嵌合透孔２０７ｆに挿入されるように構成されているので、底部１００に形成された短辺側係止ブロック１１３が、長側壁２００の折り畳みの障害になるようなことはない。このようにして、折り畳みコンテナーが折り畳まれることになる。そして、底部１００に形成された長辺部側係止ブロック１０８、端部係止ブロック１０９及び短辺側係止ブロック１１３は、折り畳まれた折り畳みコンテナーの長側壁２００より、上方に突出するように構成されている。
【００５８】
また、短辺側係止ブロック１１３は、長側壁２００に穿設された嵌合透孔２０７ｆに挿入されるように構成されているので、短辺側係止ブロック１１３に外方向或いは内方向から力が加わっても、嵌合透孔２０７ｆが、短辺側係止ブロック１１３のズレ止めの役割をするため、短辺側係止ブロック１１３がズレたり、損傷するようなことがなく、従って、安定した状態で、折り畳まれた折り畳みコンテナーを段積みすることができる。このようにして、折り畳みコンテナーが折り畳まれることになる。なお、嵌合凹部２０７ｅに先端部に、末広がり状の傾斜面２０７ｅ’を形成することにより、短辺側係止ブロック１１３が嵌合透孔２０７ｆに挿入される際に、嵌合凹部２０７ｅの上下に位置する係合枠部２０７に当たらないように構成することが好ましい。また、この傾斜面２０７ｅ’は、短辺側係止ブロック１１３を嵌合透孔２０７ｆに挿入する際の案内面としても機能する。
【００５９】
図３に示されている折り畳まれた状態の折り畳みコンテナー同士を、積み重ねると、下に位置する折り畳みコンテナーの底部１００に形成された長辺部側係止ブロック１０８の切り欠き１０８ｄ、短辺側係止ブロック１１３の切り欠き１１３ｂ及び端部係止ブロック１０９の突出部１０９ｂには、上に位置する折り畳みコンテナーの底部１００の内壁１０４ｂ等により形成される底部嵌合部１００ａが嵌まり込み、底部嵌合部１００ａが、長辺部側係止ブロック１０８の載置面１０８ｃ、短辺側係止ブロック１１３の載置面１１３ａ及び端部係止ブロック１０９の載置面１０９ａに載置されるように構成されているので、上に位置する折り畳みコンテナーは、下に位置する折り畳みコンテナーの長辺部側係止ブロック１０８、短辺側係止ブロック１１３及び端部係止ブロック１０９により、水平方向に移動が阻止され、安定した状態で、多数の折り畳まれた状態の折り畳みコンテナーを、積み重ねることができるように構成されている。
【００６０】
上述した実施例において底部１００に形成された長辺部側係止ブロック１０８、端部係止ブロック１０９及び短辺側係止ブロック１１３の配置や個数等は、上述した実施例に限定されるものではない。また、底部１００に長辺部側係止ブロック１０８及び短辺側係止ブロック１１３が形成されている場合には、折り畳まれた状態の折り畳みコンテナー同士を段積みした際に、上に位置する折り畳みコンテナーの底部１００の底部嵌合部１００ａが、下に位置する折り畳みコンテナーの底部１００に形成された長辺部側係止ブロック１０８の切り欠き１０８ｄ及び短辺側係止ブロック１１３の切り欠き１１３ｂに嵌まり込み、その水平移動が阻止されるので、端部係止ブロック１０９を省略することがきる。更に、端部係止ブロック１０９には、長辺部１０１に沿って延在する突出部１０９ｂ’と長辺部１０１に対して直角方向に延在する突出部１０９ｂ”とからなる、平面形状がほぼＬ字状の突出部１０９ｂが形成されているので、長辺部側係止ブロック１０８及び短辺側係止ブロック１１３を形成することなく、端部係止ブロック１０９のみにより、折り畳まれた状態の折り畳みコンテナー同士を、安定して、段積みすることもできる。
【００６１】
次に、図１４及び図１５を用いて、ヒンジ結合を構成する一例としての長側壁２００に形成されたヒンジ雄部２０３と底部１００の長辺部１０１に形成されたヒンジ雌部１０６の詳細について説明する。
【００６２】
この実施例は、従来、長側壁２００に配設されたヒンジ雄部２０３の垂直片２０３ａの下端と、底部１００の二重壁部１０４の水平壁１０４ｃの上面との間に形成されていた間隙を、実質的になくしたものである。
【００６３】
そのために、折り畳みコンテナーが組み立てられた状態において、底部１００の端部壁１０５の内面１０５ｂと、底部１００の二重壁部１０４の水平壁１０４ｃとにより形成される隅部Ａに位置する、長側壁２００に配設されたヒンジ雄部２０３の垂直片２０３ａのほぼ四分の一の領域の半径ｒ１と、ヒンジ雄部２０３の水平ピン２０３ｂの中心点ｃ１と端部壁１０５の内面１０５ｂとの距離ｄ１と、水平ピン２０３ｂの中心点ｃ１と二重壁部１０４の水平壁１０４ｃの上面との距離ｄ２とが、ほぼ等しくなるように構成するとともに、水平ピン２０３ｂの中心点ｃ１と長側壁２００の板状部２０１の内面２０１ｂとの距離ｄ３と、水平ピン２０３ｂの中心点ｃ１と二重壁部１０４の水平壁１０４ｃの上面との距離ｄ２とが、ほぼ等しくなるように構成したものである。このように構成するために、長側壁２００に形成されたヒンジ雄部２０３の水平ピン２０３ｂの中心点ｃ１が、長側壁２００の厚さ方向の中心線Ｌ１から、所定量ｄ４だけ、長側壁２００の板状部２０１の内面２０１ｂ側、即ち、長側壁２００の回転側にずらされている。
【００６４】
要するに、長側壁２００に形成されたヒンジ雄部２０３の水平ピン２０３ｂの中心点ｃ１と底部１００の端部壁１０５の内面１０５ｂとの距離ｄ１、水平ピン２０３ｂの中心点ｃ１と底部１００の二重壁部１０４の水平壁１０４ｃの上面との距離ｄ２及び水平ピン２０３ｂの中心点ｃ１と長側壁２００の板状部２０１の内面２０１ｂとの距離ｄ３を、いずれも、長側壁２００に形成されたヒンジ雄部２０３を構成する垂直片２０３ａの下部のほぼ半円形部２０３ａ’の半径ｒ１と、ほぼ等しくすることにより、長側壁２００に形成されたヒンジ雄部２０３の垂直片２０３ａの下端と、底部１００の二重壁部１０４の水平壁１０４ｃの上面との間にできる間隙を、実質的なくし、この間隙への異物の侵入を防止するとともに、折り畳みコンテナーの折り畳みに際して、長側壁２がほぼ水平になるまで倒れることができるようにしたものである。
【００６５】
このように構成することにより、図１に示されているように、折り畳みコンテナーが組み立てられた状態において、長側壁２００に形成されたヒンジ雄部２０３の垂直片２０３ａの下端と、底部１００の二重壁部１０４の水平壁１０４ｃの上面との間には、実質的な間隙がないので、この間隙に、折り畳みコンテナーに収容された物品やごみ等の異物が入り込むようなことがない。
【００６６】
また、水平ピン２０３ｂの中心点ｃ１と長側壁２００の板状部２０１の内面２０１ｂとの距離ｄ３と、水平ピン２０３ｂの中心点ｃ１と底部１００の二重壁部１０４の水平壁１０４ｃの上面との距離ｄ２とが、ほぼ等しくなるように構成されているので、図２に示されているように、折り畳みコンテナーの折り畳みに際して、長側壁２００がほぼ水平になるまで倒れることができ、水平ピン２０３ｂの中心点ｃ１から見て、長側壁２００が上方に傾斜することがないので、従って、折り畳みコンテナーを薄く折り畳むことができる。
【００６７】
また、ヒンジ雌部１０６のフック１０６ｂの上部外周面に、底部１００の端部壁１０５から、ヒンジ雌部１０６の板状片１０６ａに向かって、上方に傾斜する傾斜面１０６ｃが形成されている。この傾斜面１０６ｃは、底部１００と長側壁２００とをヒンジ結合させるために、長側壁２００を、上方から下降させた際に、図１５に示されているように、長側壁２００に形成されたヒンジ雄部２０３の水平ピン２０３ｂが、傾斜面１０６ｃに載置されるような幅を有している。
【００６８】
底部１００と長側壁２００をヒンジ結合させる場合には、先ず最初に、長側壁２００を、上方から下降させて、図１５に示されているように、長側壁２００に形成されたヒンジ雄部２０３の水平ピン２０３ｂを、底部１００に形成されたヒンジ雌部１０６のフック１０６ｂの傾斜面１０６ｃに当接させる。その後、更に、長側壁２００を下降させると、水平ピン２０３ｂは、フック１０６ｂの傾斜面１０６ｃに沿って、端部壁１０５方向に移動する。そして、長側壁２００に形成されたヒンジ雄部２０３の水平ピン２０３ｂが、端部壁１０５に当接した後に、更に、長側壁２００を下降させると、ヒンジ雌部１０６は、図１５において、その弾性力に抗して、右方向に傾動し、端部壁１０５とフック１０６ｂの先端との間に、水平ピン２０３ｂが通過可能な間隙が形成される。この間隙を通過した水平ピン２０３ｂが、ヒンジ雌部１０６のフック１０６ｂの先端を超えて下方に移動した時点で、ヒンジ雌部１０６は、その弾性力により、元の位置に復帰するとともに、ヒンジ雄部２０３の水平ピン２０３ｂは、ヒンジ雌部１０６のフック１１６ｂの凹部１０６ｂ’に嵌合されて、ヒンジ雌部１０６とヒンジ雄部２０３とからなるヒンジ部を介して、底部１００と長側壁２００とがヒンジ結合されることになる。
【００６９】
上述したように、ヒンジ雌部１０６のフック１０６ｂの上部外周面には、長側壁２００を、上方から下降させた際に、長側壁２００に形成されたヒンジ雄部２０３の水平ピン２０３ｂが載置される、底部１００の端部壁１０５方向に向かって下方に傾斜する傾斜面１０６ｃが形成されているので、長側壁２００に形成されたヒンジ雄部２０３の水平ピン２０３ｂが、底部１００に形成されたヒンジ雌部１０６の板状片１０６ａ方向に移動するようなことがなく、従って、従来のように、ヒンジ雄部の水平ピンが、ヒンジ雌部のフックの凹部に嵌合されず、底部と長側壁とのヒンジ結合が失敗するというようなことが防止できる。
【００７０】
次に、図８及び図１６〜図１９を用いて、一例として、長側壁２００と一体に成形されたカード差し４００について説明する。
【００７１】
カード差し４００は、以下に説明するカード押さえ条片４０１等から形成されているカード差し部材４００ａを、２個以上、並設することにより構成されている。以下に、カード差し４００を構成するカード差し部材４００ａの１つについて説明する。
【００７２】
カード差し部材４００ａを構成するカード押さえ条片４０１は、一例として、長側壁２００の下部水平枠２０２の下面に形成されたヒンジ雄部２０３の垂直片２０３ａと、下部ブロック２０４の垂直片２０４ａとの間に形成された連結壁２０４ｂの下端に連接された薄肉連結部４０２に連結されており、その形状は、細長の帯状に形成されている。
【００７３】
カード差し部材４００ａが、長側壁２００と一体に成形された時点では、図１６や図１９等に示されているように、カード押さえ条片４０１は、長側壁２００の下端から、薄肉連結部４０２を介して、ほぼ下方に垂直に垂下されている。薄肉連結部４０２付近のカード押さえ条片４０１には、第１嵌合孔４０３が穿設されており、また、薄肉連結部４０２に対して第１嵌合孔４０３より遠い位置には、第２嵌合孔４０４が穿設されている。また、カード押さえ条片４０１の第１嵌合孔４０３と第２嵌合孔４０４間に位置するとともに、長側壁２００の板状部２０１の外面２０１ａから離れる方向に延在する係合凸部４０５が形成されている。
【００７４】
２１１は、長側壁２００の下部水平枠２０２上に、カード押さえ条片４０１の幅ｗ１より、若干、広い内幅ｗ２を有するように配設された一対の規制ブロックであり、規制ブロック２１１の奥行きｘ１は、長側壁２００の下部水平枠２０２の奥行きｘ２とほぼ同じに形成されている。また、規制ブロック２１１は、長側壁２００の板状部２０１と一体の連結ブロック２１２により連結されている。
【００７５】
連結ブロック２１２のほぼ中央部の上部には、長側壁２００の板状部２０１の外面２０１ａから離れる方向に水平に延在する係止片２１３が形成されており、係止片２１３の下面先端には、下方に延在する係止突起２１３ａが形成されている。係止片２１３の下方には、係止片２１３と同じ方向に、係止片２１３とほぼ平行に延在する案内ブロック２１４が形成されている。２１５は、係止片２１３と案内ブロック２１４との間に形成された透孔であり、カード差し部材４００ａを、長側壁２００と一体に成形するための金型部材により形成されるものである。
【００７６】
上述したように、カード差し部材４００ａが、長側壁２００と一体に成形された時点では、カード押さえ条片４０１は、長側壁２００の下端から、薄肉連結部４０２を介して、ほぼ下方に垂直に垂下されているが、この状態から、カード押さえ条片４０１を、薄肉連結部４０２を折り曲げるように、長側壁２００の板状部２０１の外面２０１ａ方向に回動させると、先ず最初に、カード押さえ条片４０１に形成された第１嵌合孔４０３に、長側壁２００に形成された案内ブロック２１４が嵌合し、更に、カード押さえ条片４０１の長側壁２００の板状部２０１の外面２０１ａ方向への回動を続けると、カード押さえ条片４０１に形成された係合凸部４０５が、長側壁２００に形成された案内ブロック２１４と係止片２１３との間隙に押し込まれ、該間隙に押し込まれた係合凸部４０５は、係止片２１３を上方に弾性変形させて、案内ブロック２１４と係止片２１３との間隙を拡げながら、該間隙に挿通される。カード押さえ条片４０１に形成された係合凸部４０５が、長側壁２００に形成された案内ブロック２１４と係止片２１３との間隙を通過した後は、係止片２１３は、係止片２１３自体の弾性により、下方に回動し、係止片２１３の係止突起２１３ａが、係合凸部４０５の先端の上部角部４０５ａに係止され、カード押さえ条片４０１が、長側壁２００に形成された係止片２１３に係合保持されるように構成されている。
【００７７】
また、カード押さえ条片４０１は、第１嵌合孔４０３、第２嵌合孔４０４及び係合凸部４０５が形成された、薄肉連結部４０２側に位置する基部４０１ａと、基部４０１ａに連接されているとともに、外側に傾斜した中間部４０１ｂと、中間部４０１ｂの先端を外側に屈曲して形成されたカード案内部４０１ｃとから形成されており、カード押さえ条片４０１に形成された係合凸部４０５の先端の上部角部４０５ａが、長側壁２００に形成された係止片２１３の係止突起２１３ａに係止されて、カード差し部材４００ａが組み立てられた時点において、カード押さえ条片４０１の中間部４０１ｂとカード案内部４０１ｃとの境界線に位置する屈曲部４０１ｄが、長側壁２００の板状部２０１の外面２０１ａに当接するように構成されており、且つ、屈曲部４０１ｄより上方に位置するカード案内部４０１ｃの内面４０１ｃ’と長側壁２００の板状部２０１の外面２０１ａとの間には、カード案内部４０１ｃの内面４０１ｃ’と長側壁２００の板状部２０１の外面２０１ａとの間隔が、下方に行くに従って、徐々に狭くなる、楔状空間４０６が形成されるように構成されている。
【００７８】
上述したようにして、２つ以上のカード差し部材４００ａを組み立てることにより、カード差し４００が形成されることになる。このようにして形成されたカード差し４００に、カード４０７を保持させる際には、カード４０７の下辺４０７ａを、上述した楔状空間４０６に挿入し、次いで、更に、カード４０７を押し下げると、カード４０７は、長側壁２００の板状部２０１の外面２０１ａに当接されているカード押さえ条片４０１の屈曲部４０１ｄを、長側壁２００の板状部２０１の外面２０１ａから離反させる方向に移動させて、長側壁２００の板状部２０１の外面２０１ａとカード押さえ条片４０１の屈曲部４０１ｄとの間に、カード４０７が挿通可能な間隙を形成し、そのまま、該間隙を通過し、カード４０７の下辺４０７ａが、規制ブロック２１１や連結ブロック２１２の上面に当接するまで、カード４０７を押し下げる。このようにして、カード４０７が、２つ以上のカード差し部材４００ａに保持されることになる。そして、２つ以上のカード差し部材４００ａに保持されたカード４０７は、カード押さえ条片４０１の屈曲部４０１ｄにより、長側壁２００の板状部２０１の外面２０１ａに圧接されるように構成されているので、カード４０７が、簡単に、移動したり、容器用カード差し４００から外れるようなことがない。
【００７９】
上述したカード差し部材４００ａは、長側壁２００と一体に成形されるが、長側壁２００が不透明な樹脂で成形された場合には、カード差し部材４００ａも、同様の不透明な樹脂で成形されることになり、従って、カード差し部材４００ａに保持されたカード４０７の一部が、カード差し部材４００ａに隠れて見えなくなる。従って、このような問題を解決するために、カード差し部材４００ａを構成するカード押さえ条片４０１は、細長の帯状に形成されている。
【００８０】
また、カード差し部材４００ａのカード押さえ条片４０１を成形するための金型空間には、透明な或いは半透明な樹脂を注入し、また長側壁２００を成形するための金型空間には、適宜、色付き樹脂を注入することにより、透明な或いは半透明なカード差し部材４００ａと、色付きの長側壁２００とを、一体に成形することもできる。
【００８１】
本発明は、上述したように、カード差し部材４００ａを構成するカード押さえ条片４０１が、薄肉連結部４０２を介して、長側壁２００と一体に形成されているので、カード押さえ条片４０１を、薄肉連結部４０２を折り曲げるように、長側壁２００の板状部２０１の外面２０１ｂ方向に回動させるだけで、簡単に、組み立てることができる。
【００８２】
また、カード差し部材４００ａを構成するカード押さえ条片４０１が、細長の帯状に形成されているので、カード４０７のカード押さえ条片４０１に隠れる部分が少なく、従って、カード４０７に記載或いは記憶された、物品の行き先、物品名、種類、数量等に関する情報の読み取りに、支障をきたすようなことがない。
【００８３】
２つ以上のカード差し部材４００ａに保持されたカード４０７が、カード押さえ条片４０１の屈曲部４０１ｄにより、長側壁２００の板状部２０１の外面２０１ａに圧接されるように構成されているので、カード４０７が、簡単に、移動したり、カード差し４００から外れるようなことがない。
【００８４】
組み立てられたカード押さえ条片４０１は、長側壁２００に形成された一対の規制ブロック２１１間に位置するように構成されているので、カード押さえ条片４０１に、外力が加わり、カード押さえ条片４０１が、長側壁２００の板状部２０１の外面２０１ａに沿った方向に移動しようとしても、規制ブロック２１１により、その移動が抑制されるので、従って、強度的に弱い薄肉連結部４０２が損傷するようなことが防止できるとともに、カード押さえ条片４０１の移動により、カード差し部材４００ａに保持されたカード４０７が、外れるようなことが防止できる。
【００８５】
また、図１等に示されているように、長側壁２００には、長側壁２００の上端部内側を切り欠くことにより、切り欠き部２１６が形成されており、同様に、短側壁３００にも、短側壁３００の上端部内側を切り欠くことにより、切り欠き部３１０が形成されている。このような切り欠き部２１６、３１０には、組み立てられた折り畳みコンテナーを積み重ねた時に、上に位置する折り畳みコンテナーの底部１００の底部嵌合部１００ａが嵌合されるように構成されている。
【００８６】
上述した折り畳みコンテナーを構成する底部１００、長側壁２００及び短側壁３００は、それぞれ、射出成形等により、合成樹脂で一体に成形され、その後、上述したように、底部１００、長側壁２００及び短側壁３００を、ヒンジ結合により連結することにより、折り畳みコンテナーに組み立てられるように構成されている。
【００８７】
【発明の効果】
本発明は、以上説明した構成を有しているので、以下に記載する効果を奏するものである。
【００８８】
底部には、折り畳まれた状態の折り畳みコンテナーの底部が嵌合可能な係止ブロックが形成されており、且つ、側壁には、組み立てられた状態の折り畳みコンテナーの係止ブロックが挿入可能な下方が開放された凹部が形成されているので折り畳まれた状態の折り畳みコンテナーを安定した状態で、積み重ねることができるとともに、係合枠部を介して、側壁同士及び側壁と底部が係合し合うように構成されているので、箱型に組み立てられ状態の折り畳みコンテナーが強固なものとなる。
【００８９】
相対する一方の側壁には、折り畳んだ際に、上方に突出する係止ブロックが挿入可能な透孔が穿設されているので、係止ブロックが、折り畳みコンテナーの折り畳み作業の障害になるようなことがない。
【００９０】
側壁の係合枠部に形成された係合突起が、底部に形成された嵌合部の透孔に嵌合されるように構成されているので、折り畳みコンテナーが箱型に組み立てられた際に、底部と側壁との結合強度が向上するとともに、底部に対する側壁の動きが規制されることになり、従って、底部に対して側壁が大きく移動することにより、底部と側壁を連結するヒンジ結合部が損傷するようなことが防止できる。
【００９１】
底部に対して側壁が垂直に立てられた際に、側壁の下面と底部の上面が、その一部において、面接触するように構成されているので、側壁にかかった負荷を、この面接触部分で負担することができ、側壁にかかった負荷が、ヒンジ結合部に及んでヒンジ結合部が損傷するようなことが防止できる。
【００９２】
カード差しを構成するカード押さえ条片が、薄肉連結部を介して側壁と一体に形成されているので、カード押さえ条片を、薄肉連結部を折り曲げるように、側壁方向に回動させるだけで、簡単に、組み立てることができる。
【図面の簡単な説明】
【図１】図１は本発明の折り畳みコンテナーの組み立てられた状態の斜視図である。
【図２】図２は本発明の折り畳みコンテナーの組み立て途中の斜視図である。
【図３】図３は本発明の折り畳みコンテナーの折り畳まれた状態の斜視図である。
【図４】図４は本発明の折り畳みコンテナーの底部の斜視図である。
【図５】図５は本発明の折り畳みコンテナーの底部と長側壁のヒンジ結合を説明するための底部と長側壁の分解部分斜視図である。
【図６】図６は本発明の折り畳みコンテナーの底部と長側壁の端部付近の分解部分斜視図である。
【図７】図７は本発明の折り畳みコンテナーの折り畳まれた状態の裏面斜視図である。
【図８】図８は本発明の折り畳みコンテナーの長側壁の斜視図である。
【図９】図９は本発明の折り畳みコンテナーの長側壁の部分斜視図である。
【図１０】図１０は本発明の折り畳みコンテナーの長側壁の係合枠部と短側壁の係合枠部とが係合される前の長側壁と短側壁の垂直断面図である。
【図１１】図１１は本発明の折り畳みコンテナーの短側壁の斜視図である。
【図１２】図１２は本発明の折り畳みコンテナーの短側壁の部分斜視図である。
【図１３】図１３は本発明の折り畳みコンテナーの長側壁の係合枠部と短側壁の係合枠部とが係合された状態の長側壁と短側壁の垂直断面図である。
【図１４】図１４は本発明の折り畳みコンテナーの底部と長側壁のヒンジ部を含む垂直断面図である。
【図１５】図１５は本発明の折り畳みコンテナーの底部と長側壁のヒンジ部がヒンジ結合される直前の底部と長側壁のヒンジ部を含む垂直断面図である。
【図１６】図１６は本発明の折り畳みコンテナーの長側壁に配設されるカード差しの組み立て前の拡大斜視図である。
【図１７】図１７は本発明の折り畳みコンテナーの長側壁に配設されるカード差しの組み立て前の垂直断面図である。
【図１８】図１８は本発明の折り畳みコンテナーの長側壁に配設されるカード差しの組み立て後の部分垂直断面図である。
【図１９】図１９はカード差しが配設された本発明の折り畳みコンテナーの長側壁の斜視図である。
【符号の説明】
１００・・・・・・・・・・底部
１０６・・・・・・・・・・ヒンジ雌部
１０８・・・・・・・・・・長辺部側係止ブロック
１０９・・・・・・・・・・端部係止ブロック
１１３・・・・・・・・・・短辺側係止ブロック
２００・・・・・・・・・・長側壁
２０３・・・・・・・・・・ヒンジ雄部
２０７・・・・・・・・・・係合枠部
３００・・・・・・・・・・短側壁
３０３・・・・・・・・・・ヒンジ雄部
３０８・・・・・・・・・・係合枠部
４００・・・・・・・・・・カード差し
４０１・・・・・・・・・・カード押さえ条片
【図１】
0003707973.tif 000002
【図２】
0003707973.tif 000003
【図３】
0003707973.tif 000004
【図４】
0003707973.tif 000005
【図５】
0003707973.tif 000006
【図６】
0003707973.tif 000007
【図７】
0003707973.tif 000008
【図８】
0003707973.tif 000009
【図９】
0003707973.tif 000010
【図１０】
0003707973.tif 000011
【図１１】
0003707973.tif 000012
【図１２】
0003707973.tif 000013
【図１３】
0003707973.tif 000014
【図１４】
0003707973.tif 000015
【図１５】
0003707973.tif 000016
【図１６】
0003707973.tif 000017
【図１７】
0003707973.tif 000018
【図１８】
0003707973.tif 000019
【図１９】
0003707973.tif 000020